(57)【要約】【課題】            被写体サイズを補足することで、被写界深度の範囲を決定して良好な撮影パラメータを得る。【解決手段】        被写体を撮影して画像データを出力する撮影部と、撮影部が出力した画像データに対して被写体を補足して被写体サイズを決定する被写体補足部と、被写体補足部が決定した画像データの被写体の大きさに基づいて被写界深度の幅を決定する被写界深度決定部と、ＩＳＯ感度、光量、絞り、シャッタスピードを設定する各種パラメータ設定部と、各種パラメータ設定部に設定したＩＳＯ感度、光量、絞り、シャッタスピードと前記被写界深度決定部が決定した被写界深度の幅とに基づいて絞りおよびシャッタスピードの補正値を算出する各種パラメータ決定部と、各種パラメータ決定部が算出した絞りおよびシャッタスピードの補正値に基づいて撮影部を制御する撮影制御部とを備えた。【選択図】          図３
2008245014.tif 000002
【特許請求の範囲】
【請求項１】
被写体を撮影して画像データを出力する撮影部と、
この撮影部が出力した画像データに対して、前記被写体を補足して被写体サイズを決定する被写体補足部と、
この被写体補足部が決定した画像データの被写体の大きさに基づいて被写界深度の幅を決定する被写界深度決定部と、
ＩＳＯ感度、光量、絞り、シャッタスピードを設定する各種パラメータ設定部と、
この各種パラメータ設定部に設定したＩＳＯ感度、光量、絞り、シャッタスピードと前記被写界深度決定部が決定した被写界深度の幅とに基づいて絞りおよびシャッタスピードの補正値を算出する各種パラメータ決定部と、
この各種パラメータ決定部が算出した絞りおよびシャッタスピードの補正値に基づいて、前記撮影部を制御する撮影制御部と
を備えたことを特徴とするデジタルカメラ。
【請求項２】
前記被写体補足部は、前記撮影部が出力した画像データに対して、画像信号処理を適用して画像信号の色情報によって、前記被写体を補足して被写体サイズを決定する色情報被写体サイズ決定手段を有することを特徴とする請求項１記載のデジタルカメラ。
【請求項３】
前記被写体補足部は、前記撮影部が出力した画像データに対して、前記被写体を囲む枠を指定することによって、前記被写体を補足して被写体サイズを決定する手動被写体サイズ決定手段を有することを特徴とする請求項１記載のデジタルカメラ。
【請求項４】
前記被写体補足部は、前記撮影部が連続して出力した２枚の画像データに対して、差分をとることによって、動きのある前記被写体を補足して被写体サイズを決定するとともに、前記被写体の動きの量と向きを検出する差分処理手段を有し、
前記被写界深度決定部は、前記被写体補足部が検出した前記被写体の動きの量と向きに基づいて推定した次に撮影される画像データの被写体の大きさから被写界深度の幅を決定することを特徴とする請求項１記載のデジタルカメラ。
【請求項５】
前記被写界深度決定部は、前記被写体補足部が決定した画像データの被写体を囲む枠の大きさから面積を求め、この面積と等しい正方形の一辺の長さに被写体の奥行きに基づく所定の係数を乗算して被写界深度の幅を決定することを特徴とする請求項１記載のデジタルカメラ。
【請求項６】
前記被写界深度決定部は、前記被写体補足部が決定した画像データの被写体を囲む枠の大きさから対角線の長さを求め、この対角線の長さに被写体の奥行きに基づく所定の係数を乗算して被写界深度の幅を決定することを特徴とする請求項１記載のデジタルカメラ。
【請求項７】
画像データから被写体を補足する手段の異なる複数の前記被写体補足部と、
複数の前記被写体補足部が決定する被写体サイズから一つの被写体サイズを選択するセレクタと
を備えたことを特徴とする請求項１記載のデジタルカメラ。
【請求項８】
画像データから被写体を補足する手段の異なる複数の前記被写体補足部と、
複数の前記被写体補足部が決定する被写体サイズを照合して被写体サイズを補正する補正部と
を備えたことを特徴とする請求項１記載のデジタルカメラ。
【発明の詳細な説明】
【技術分野】
【０００１】
この発明は、被写体を撮影するデジタルカメラに関する。
【背景技術】
【０００２】
デジタルカメラで写真撮影する際には、ＩＳＯ感度、光量、シャッタスピード、絞りが主要な調整すべき撮影パラメータとして挙げられる。従来のデジタルカメラでは、写真撮影の撮影条件は、ＩＳＯ感度、光量によって、露光量、すなわちＣＣＤの電荷蓄積時間を調整するようにシャッタスピードや絞りが決定される。
【０００３】
従来のデジタルカメラの撮影方法は、ＩＳＯ感度、光量の他に、手動でシャッタスピードあるいは絞りを設定し、その設定されたシャッタスピードと絞りに基づいて、フォーカスセンサで計測された被写体距離に対して、残る撮影パラメータを決定していた。デジタルカメラによっては、シャッタスピードが固定（シャッタスピード優先）となっているものがあり、また、絞りが固定（絞り優先）となっているものもある。（例えば、特許文献１）
【０００４】
【特許文献１】特開２００６−２５３９９８号公報
【発明の開示】
【発明が解決しようとする課題】
【０００５】
従来のデジタルカメラでは、設定されたＩＳＯ感度、光量と、シャッタスピードまたは絞りによって、フォーカスセンサで計測された焦点距離の位置に対する残りの撮影パラメータを決定することで、焦点距離の位置で平面状に合焦するので、奥行きのある被写体に焦点を合わせて撮影するためには、被写界深度という撮影パラメータを確保して対処しなければならないという課題がある。
【０００６】
このように、従来のデジタルカメラで、撮影者が手動でシャッタスピード優先の調整を行う撮影方法では、被写界深度を確保するためには、撮影者の経験や技術に依存した専門的技術を必要とするという問題点がある。
【０００７】
また、従来のデジタルカメラで、撮影者が手動で絞り優先の調整を行う撮影方法では、被写体を考慮せず決定された絞りで撮影しても、所望の被写界深度が確保できずに、必ずしも良好なパラメータを設定できないという問題点がある。
【０００８】
この発明は、上述のような課題を解決するためになされたもので、被写体サイズを補足することで、奥行きのある被写体全体に焦点が合う被写界深度の範囲を決定し、その被写界深度を確保した良好な撮影パラメータにより撮影する機能を有するデジタルカメラを得ることを目的とする。
【課題を解決するための手段】
【０００９】
この発明に係るデジタルカメラは、被写体を撮影して画像データを出力する撮影部と、
この撮影部が出力した画像データに対して、前記被写体を補足して被写体サイズを決定する被写体補足部と、この被写体補足部が決定した画像データの被写体の大きさに基づいて被写界深度の幅を決定する被写界深度決定部と、ＩＳＯ感度、光量、絞り、シャッタスピードを設定する各種パラメータ設定部と、この各種パラメータ設定部に設定したＩＳＯ感度、光量、絞り、シャッタスピードと前記被写界深度決定部が決定した被写界深度の幅とに基づいて絞りおよびシャッタスピードの補正値を算出する各種パラメータ決定部と、この各種パラメータ決定部が算出した絞りおよびシャッタスピードの補正値に基づいて、前記撮影部を制御する撮影制御部とを備えたものである。
【発明の効果】
【００１０】
この発明によれば、被写体サイズを補足することで、奥行きのある被写体全体に焦点が合う被写界深度の範囲を決定することができ、良好な撮影条件のパラメータにより撮影する機能を有するデジタルカメラを得られる効果がある。
【発明を実施するための最良の形態】
【００１１】
この発明の実施の形態におけるデジタルカメラに係る撮影範囲内の被写体とイメージセンサ上の被写体との関係図を図１に、およびこの発明の実施の形態におけるデジタルカメラに係る被写界深度の概念図を図２に示す。
【００１２】
まず、図１は、デジタルカメラで写真撮影する際における撮影範囲内の被写体とイメージセンサ上の被写体の関係を示す図である。同図において、対角線サイズＷの矩形状の撮影範囲５１に対して、対角線サイズＷｔの被写体が収まっている。レンズ５２は、撮影範囲５１の平面から被写体距離Ｌだけ離れた所に位置する。対角線サイズＨの矩形状のイメージセンサ５３は、レンズ５２を挟んで被写体距離Ｌの延長上に焦点距離ｆだけ離れたところに位置し、対角線サイズＨｔで被写体を捕らえている。このとき、撮影範囲およびイメージセンサの対角線サイズのＷとＨの比、撮影範囲上およびイメージセンサ上の被写体の対角線サイズのＷｔとＨｔの比は、それぞれ被写体距離Ｌと焦点距離ｆの比と等しくなる。
【００１３】
この図１に示される焦点距離ｆ、許容錯乱円径と各種パラメータには、次の式（１）と式（２）のような関係がある。このとき、焦点距離ｆを求める際の画角θは、レンズ５２の焦点距離ｆとＣＣＤやＣＭＯＳのイメージセンサ５３の対角線長Ｈにより定まる。
【００１４】
【数１】
2008245014.tif 000003
【００１５】
【数２】
2008245014.tif 000004
【００１６】
また、図２は、被写界深度の概念図である。レンズ６１から被写体距離Ｌに焦点（フォーカス）が合った合焦位置（フォーカスポイント）に対して、撮影パラメータによって合焦範囲として被写界深度Ｔが決定される。この合焦範囲を外れると、被写体がぼけた画像となる。レンズ６１に対して、合焦位置より手前の前方被写界深度Ｔｆ、合焦位置より先の後方被写界深度Ｔｒとする。この図２に示される各被写界深度と各種パラメータには、次の式（３）から式（５）のような関係がある。
【００１７】
【数３】
2008245014.tif 000005
【００１８】
【数４】
2008245014.tif 000006
【００１９】
【数５】
2008245014.tif 000007
【００２０】
以下、本発明の実施の形態について、図３から図８を用いて説明する。ここでは、撮影した画像から被写体を補足して被写体サイズを決定することで、奥行きのある被写体全体に焦点が合う被写界深度を確保して撮影に適した撮影パラメータで撮影を行う。
【００２１】
実施の形態１．
この発明の実施の形態１では、撮影した画像から被写体を画像信号処理によって補足して被写体サイズを決定する一例について説明する。
【００２２】
図３は、本発明に係るデジタルカメラの一実施例を示すブロック図である。撮影部２２は、被写体２１を撮影して画像データを出力する。被写体補足部２３Ａは、撮影部２２から受け取った画像データに対して、被写体を補足して被写体サイズを決定する。被写界深度決定部２４は、被写体補足部２３Ａが決定した画像データの被写体の大きさから被写界深度の幅を決定する。各種パラメータ設定部２５は、ＩＳＯ感度、光量、絞り、シャッタスピード情報を設定する。各種パラメータ決定部２６は、被写界深度決定部２４が決定した被写界深度の幅と各種パラメータ設定部２５に設定したＩＳＯ感度、光量、絞り、シャッタスピード情報に基づいて絞り、シャッタスピードの補正値を算出する。撮影制御部２７は、各種パラメータ決定部２６が算出した絞りおよびシャッタスピードの補正値に基づいて、撮影部２２を制御する。例えば、この絞り、シャッタスピードの補正値を適用して撮影部２２が撮影した画像データは、記憶部（図示せず）に記録され、あるいは通信部（図示せず）から送信される。ここで、撮影された画像は、形式を変えずにそのままのデータとして、あるいは圧縮したデータとして記録または送信されても構わない。
【００２３】
図３の各ブロックの動作について、より詳細に説明する。
【００２４】
被写体補足部２３Ａは、その内部の色情報被写体サイズ決定部２０１によって、撮影部２２によって撮影された被写体２１の画像データに対して画像信号処理を行い、その画像信号の色情報から被写体の判別を行い、被写体の大きさを補足して、被写体を囲む矩形枠を設定する。例えば、フォーカスポイントの色情報と同じ範囲を同一被写体と考えて、被写体の大きさを決定する。この色情報の範囲は、フォーカスポイントの色情報に対して、所定の色レベル差の近似色まで含めるようにしてもよく、さらに、そのレベル差を調整可能としても構わない。
【００２５】
次に、被写界深度決定部２４は、矩形枠の内部にある被写体全体に焦点が合うように焦点範囲を確保した被写界深度を決定する。例えば、フォーカスセンサ（図示せず）から得た被写体距離を利用して、図１で示した各長さの比から被写体を囲んだ矩形枠の縦と横の長さを計算して、矩形の面積を求め、この面積と等しい正方形の１辺の長さに所定の係数を乗算して被写界深度として使用する。ここで、所定の係数は、被写体の種類や形状における奥行きなどの特徴によって変更して設定できるようにしてもよい。
【００２６】
また、例えば、色情報被写体サイズ決定部２０１が被写体２１の画像データに対して画像信号処理を行って大きさを判別する際に、同時に被写体が人、車、建物等を判別し、または被写体の奥行きを判別し、被写界深度決定部２４に通知することで、この通知された判別情報から被写界深度決定部２４は所定の係数を被写体から判別した異なる奥行きの比率に基づいて設定しても構わない。
【００２７】
各種パラメータ設定部２５には、ＩＳＯ感度、光量、絞り、シャッタスピードが予め設定されている。ＩＳＯ感度、光量のように予め設定しておく固定の撮影パラメータと、絞り、シャッタスピードのように被写体距離のような他の撮影条件に基づいて設定される撮影パラメータがある。
【００２８】
各種パラメータ決定部２６は、被写界深度決定部２４が決定した被写界深度と、このデジタルカメラ固有の定数との前記の式（３）から式（５）の関係から算出した絞りと、各種パラメータ設定部２５に設定されたＩＳＯ感度、光量、絞り、シャッタスピードに基づいてより良好な絞りおよびシャッタスピードの補正値を決定する。
【００２９】
撮影制御部２７は、各種パラメータ決定部２６が決定した撮影パラメータに基づいて撮影部２２を制御して被写体を撮影する。
【００３０】
なお、前記色情報被写体サイズ決定部２０１と前記被写界深度決定部２４において、前記色情報被写体サイズ決定部２０１が画像信号処理を行って被写体を判別することで、複数の被写体が判別される場合には、例えば、前記被写界深度決定部２４はそれら複数の被写体にそれぞれフォーカスポイントを設定して検出した被写体距離の最大と最小の差分を被写界深度として決定するようにしてもよい。
【００３１】
このように、絞りおよびシャッタスピードを補正する際には、撮影される画像データに、被写界深度が不足している場合は、シャッタスピードを遅くすることで、被写界深度をより大きく確保できる。逆に、被写界深度が過剰な場合は、シャッタスピードを速くすることで、被写界深度をより小さくするように調整できる。
【００３２】
よって、この発明の実施の形態１によれば、被写体の大きさを補足して、被写界深度を設定するため、補足した被写体全体に焦点が合って収まる焦点範囲を確保できるので、より良好な撮影パラメータによる撮影が可能となる。
【００３３】
実施の形態２．
この発明の実施の形態２では、撮影した画像から被写体を撮影者が手動操作する手段によって補足して被写体サイズを決定する一例について説明する。
【００３４】
図４は、本発明に係るデジタルカメラの一実施例を示すブロック図（図３）に係る被写体補足部２３Ａに代わる被写体補足部２３Ｂの手動被写体サイズ決定部２１１である。被写体補足部２３Ｂの手動被写体サイズ決定部２１１は、撮影部２２から受け取った画像データに対して、被写体２１を囲む矩形（あるいは円形、楕円形等）を指定する手段により被写体サイズを決定する。
【００３５】
図５は、被写体補足部２３Ｂは、その内部の手動被写体サイズ決定部２１１の画像データの被写体を矩形で指定する一例を示している。この手動被写体サイズ決定部２１１の動作について、図５を用いてより詳細に説明する。
【００３６】
まず、ファインダ内に被写体３１を捕らえる（左上図）。次に、手動被写体サイズ決定部２１１は、ファインダ内の被写体を囲む枠３２を、被写体に重ねる（右上図）。そして、手動被写体サイズ決定部２１１は、ファインダ内の被写体の大きさ３３を撮影者の指示によって決定し、被写体を囲む枠３２をロックする（右下図）。
【００３７】
なお、ファインダ内の被写体を囲む枠３２は、例えば複数の候補が同時に表示されたものの中から、１つずつ枠の色や形状を変えることで特定の枠を順に切り替えて示し、撮影者が所望の枠を選択することで指定する。この特定の表示枠は、手動被写体サイズ決定部２１１が順に切り替えても、または撮影者が切り替える操作することで順に切り替わるように構成しても構わない。
【００３８】
また、ファインダ内の被写体を囲む枠３２として、例えば手動被写体サイズ決定部２１１が所定の時間間隔をおいて一つずつ伸縮する枠を表示させ、被写体の外形を収めたとき撮影者が枠の伸縮を停止させることで決定してもよい。この伸縮する枠は、その枠の大きさの差を細かくとってスムーズに変化して見えるようにしても構わない。
【００３９】
さらに、被写体が上下左右に寄っている場合には、撮影者が枠の位置を調整するようにしても構わない。調整は、すでに指定した枠を移動させて指定しても、枠の中心のような任意の基準点を移動させて枠を指定し直すようにしても構わない。また、枠の基準点を先に指定してから被写体の補足を開始するようにしても構わない。
【００４０】
次に、被写界深度決定部２４は、矩形枠の内部にある被写体全体に焦点が合うように焦点範囲を確保した被写界深度を決定する。例えば、フォーカスセンサ（図示せず）から得た被写体距離を利用して、図１で示した各長さの比に基づいて被写体の対角線長を算出し、この対角線長に所定の係数を乗算して被写界深度として使用する。
【００４１】
また、例えば、手動被写体サイズ決定部２１１において被写体２１の画像データに対して被写体の大きさを指示する際に、同時に被写体が人、車、建物等のいずれであるか、または被写体の奥行きがどれくらいかについて被写界深度決定部２４に通知することで、この通知された情報から被写界深度決定部２４は所定の係数を被写体から通知された奥行きの比率に基づいて設定しても構わない。
【００４２】
このように被写界深度決定部２４が被写界深度を決定した後、先に示したこの発明の実施の形態１と同様に、各種パラメータ設定部２５、各種パラメータ決定部２６は、撮影パラメータを決定し、撮影制御部２７は、撮影部２２を制御して被写体を撮影する。
【００４３】
よって、この発明の実施の形態２によれば、被写体の大きさを補足して、被写界深度を設定するため、補足した被写体全体に焦点が合って収まる焦点範囲を確保できるので、より良好な撮影パラメータによる撮影が可能となる。
【００４４】
実施の形態３．
この発明の実施の形態３では、連続して撮影した画像データから動きのある被写体を補足して被写体サイズを決定する一例について説明する。
【００４５】
図６は、本発明に係るデジタルカメラの一実施例を示すブロック図（図３）に係る被写体補足部２３Ａに代わる被写体補足部２３Ｃを示している。後画像データ２２１、前画像データ２２２は、動きのある被写体を連続して撮影した画像データを蓄積する。差分処理部２２３は、連続した前画像データ２２２と後画像データ２２１の差分をとって被写体を補足し、その被写体サイズを決定する。
【００４６】
図７は、被写界深度を判定する対象となる被写体が動いている場合に、被写体を認識する概念を示している。４１は前画像データに撮影された被写体で、４２は後画像データに撮影された被写体である。この前画像データと後画像データの差分をとり、撮影の時間差における動きの量や向きに基づいて被写体を判断し、被写体の大きさを補足して、被写体を囲む矩形枠を設定する。
【００４７】
このとき、撮影の時間差における動きの量から被写体の速度と方向を判断し、その時点から実際の撮影を行うまでの撮影までの時間に基づいてフォーカスポイントを推測してずらすとともに、撮影時の焦点距離をそのフォーカスポイントまでの焦点距離に補正する。なお、このような補正は、撮影前の２枚の画像データに限らず、３枚以上の画像データに基づいて実際に撮影するフォーカスポイントを推測してずらし、焦点距離を補正しても構わない。
【００４８】
次に、被写界深度決定部２４は、補正した焦点距離を適用し、先に示したこの発明の実施の形態１あるいは実施の形態２において説明したように、矩形枠の内部にある被写体全体に焦点が合うように焦点範囲を確保した被写界深度を決定し、さらに、各種パラメータ設定部２５、各種パラメータ決定部２６は、撮影パラメータを決定し、撮影制御部２７は、撮影部２２を制御して被写体を撮影する。
【００４９】
よって、この発明の実施の形態３によれば、被写体の大きさを補足して、被写界深度を設定するため、補足した被写体全体に焦点が合って収まる焦点範囲を確保できるので、より良好な撮影パラメータによる撮影が可能となる。
【００５０】
実施の形態４．
この発明の実施の形態４では、実施の形態１から実施の形態３までの被写体補足部を２つ以上備え、そのうち一つの被写体補足部を指定して被写体サイズを決定する一例について説明する。
【００５１】
図８は、本発明に係るデジタルカメラの一実施例を示すブロック図（図３）に係る被写体補足部２３Ａに代わる被写体補足部２３Ｄを示している。被写体補足部２３Ｄの内部の被写体補足部Ａ２３Ａは、この発明の実施の形態１にて説明した被写体補足部で、この実施の形態では被写体補足部２３Ｄの内部に備えられる。また、被写体補足部Ｂ２３Ｂは、この発明の実施の形態２にて説明した被写体補足部である。被写体補足部Ｃ２３Ｃは、この発明の実施の形態３にて説明した被写体補足部である。セレクタ２３１は、被写体補足部Ａ２３Ａ、被写体補足部Ｂ２３Ｂ、被写体補足部Ｃ２３Ｃのうち指定されたいずれか一つの被写体補足部が決定した被写体サイズを出力する。
【００５２】
ここで、例えば、セレクタ２３１への入力前に被写体補足部Ａ２３Ａ、被写体補足部Ｂ２３Ｂがそれぞれ補足した被写体サイズを照合して補正する補正手段（図示せず）を設けて、補正した被写体サイズをセレクタ２３１へ入力するようにしてもよい。このとき、被写体補正部２３Ｄが被写体補足部Ａ２３Ａと被写体補足部Ｂ２３Ｂの二つのみを備えるのであれば、セレクタ２３１は不要となる。なお、被写体サイズの照合は、二つの被写体補足部の出力に対して行うだけでなく、三つ以上の被写体補足部の出力に対して行って補正しても構わない。
【００５３】
セレクタ２３１への指定による被写体補足部の選択は、各種パラメータ設定部２５で設定する撮影条件のパラメータの設定とともに行うものとする。この実施の形態では、被写体補足部２３Ｄとして、実施の形態１から実施の形態３までの被写体補足部の３つを備えたものについて説明しているが、実施の形態１から実施の形態３までの被写体補足部のうちの２つの被写体補足部を備えるものであってもよい。また、他の被写体補足部を含めて、被写体補足部を複数備えるものであってもよく、４つ以上の被写体補足部を備えるものであっても構わない。
【００５４】
よって、この発明の実施の形態４によれば、被写体の大きさを補足して被写界深度を設定するため、補足した被写体全体に焦点が合って収まる焦点範囲を確保できるので、より良好な撮影パラメータによる撮影が可能となる。
【００５５】
ここで、例えば、この発明の実施の形態１で適用した被写体補足部は、この発明の実施の形態２に適用してもよく、またこの発明の実施の形態２で適用した被写体補足部は、この発明の実施の形態１に適用してもよく、置き換えた被写体補足部が補足した被写体の大きさに基づいて各実施の形態の被写界深度決定部が被写界深度を決定しても構わない。また、置き換える前記被写体補足部は、実施の形態３の被写体補足部に置き換えて適用してもよく、実施の形態１または実施の形態２の被写体補足部を実施の形態３に適用しても構わない。
【００５６】
以上のように、この発明の実施の形態によれば、被写体補足部が被写体の大きさを補足し、被写界深度決定部が被写体の大きさに基づいて被写界深度を決定するため、被写体全体に焦点が合う焦点範囲を確保できる撮影パラメータを適用した撮影ができる。
【図面の簡単な説明】
【００５７】
【図１】この発明の実施の形態におけるデジタルカメラに係る撮影範囲内の被写体とイメージセンサ上の被写体との関係図である。
【図２】この発明の実施の形態におけるデジタルカメラに係る被写界深度の概念図である。
【図３】この発明の実施の形態１におけるデジタルカメラの一例を示すブロック図である。
【図４】この発明の実施の形態２における被写体補足部の一例を示すブロック図である。
【図５】この発明の実施の形態２における被写体補足部の処理概要の一例を示す説明図である。
【図６】この発明の実施の形態３における被写体補足部の一例を示すブロック図である。
【図７】この発明の実施の形態３における被写体補足部の処理概要の一例を示す説明図である。
【図８】この発明の実施の形態４における被写体補足部の一例を示すブロック図である。
【符号の説明】
【００５８】
２１  被写体
２２  撮影部
２３Ａ、２３Ｂ、２３Ｃ、２３Ｄ  被写体補足部
２４  被写界深度決定部
２５  各種パラメータ設定部
２６  各種パラメータ決定部
２７  撮影制御部
２０１  色情報被写体サイズ決定部
２１１  手動被写体サイズ決定部
２２１  後画像データ
２２２  前画像データ
２２３  差分処理部
２３１  セレクタ
３１  ファインダ内の被写体
３２  ファインダ内の被写体を囲む伸縮する枠
３３  ファインダ内の被写体の大きさを決定した枠
４１  前画像データの被写体
４２  後画像データの被写体
５１  被写体の範囲
５２  レンズ
５３  イメージセンサの範囲
６１  レンズ
６２  イメージセンサ
【図１】
2008245014.tif 000008
【図２】
2008245014.tif 000009
【図３】
2008245014.tif 000010
【図４】
2008245014.tif 000011
【図５】
2008245014.tif 000012
【図６】
2008245014.tif 000013
【図７】
2008245014.tif 000014
【図８】
2008245014.tif 000015